【事件の表示】
　特許第３１５６２５１号「使い捨て吸収性物品の製造方法」の請求項１、２に係る特許に対する特許異議の申立てについて、次のとおり決定する。
【結　論】
　特許第３１５６２５１号の請求項１、２に係る特許を維持する。
【理　由】
１．手続の経緯
　特許第３１５６２５１号の請求項１及び２に係る発明についての出願は、平成２年１０月２６日に特許出願され、平成１３年２月９日にその特許権の設定登録がなされ、その後、土山健二　より特許異議の申立てがなされたものである。
　
２．特許異議申立てについて
（１）本件発明
　特許第３１５６２５１号の請求項１及び２に係る発明（以下、「本件発明１」及び「本件発明２」という。）は、その特許請求の範囲の請求項１及び２に記載された次のとおりのものである。
「【請求項１】液透過性のトップシートと、液不透過性のバックシートと、これら両シート間に配置された吸収体とを有する吸収性本体と、中央部に該吸収性本体が接合固定される通気性シートであって、着用時にウエストを囲んで上記吸収性本体を着用者にあてて保持する最外層シートとを備え、
上記吸収性本体の長手方向に沿って、レッグ部それぞれにギャザーを形成する一対の第１弾性部材が配置され、上記最外層シートの長手方向における両端縁部には、それぞれ上記吸収性本体の外方へ延出するウエストフラップが設けられ、該ウエストフラップには、それぞれ第２弾性部材が配置されており、
上記最外層シートには、上記吸収性本体の両側部に凹欠部が形成されており、該凹欠部の形成されているくびれ部分の上方及び下方には、それぞれ、上記吸収性本体の幅方向外方に延出する左右一対のサイドフラップが設けられ、該サイドフラップそれぞれに第３弾性部材が該吸収性本体の幅方向に配設されており、
上記第３弾性部材は、少なくとも、上記サイドフラップにおける上記くびれ部分寄りの端部を除く部分と上記ウエストフラップとの間に配設されている使い捨て吸収性物品の製造方法であって、
液透過性のトップシートと、液不透過性のバックシートと、これら両シート間に配置された吸収体とを有する吸収性本体を、連続して供給されてくる帯状の最外層シート帯に間欠的に配置して固定する固定工程と、
上記最外層シートを上記固定された吸収性本体間で切断する切断工程と、
を備えることを特徴とする使い捨て吸収性物品の製造方法。
【請求項２】上記固定工程以前に、上記吸収性本体に、その流れ方向に第１弾性部材を配置する第１配置工程と、
上記最外層シートにその流れ方向に第２弾性部材を配置する第２配置工程と、
上記最外層シートに上記吸収性本体を配置する際に、上記吸収性本体を実質的に９０゜回転して配置する反転工程とを備えることを特徴とする請求項（１）記載の使い捨て吸収性物品の製造方法。」
　
（２）申立ての理由の概要
　特許異議申立人　土山健二　は、下記の甲第１号証乃至甲第６号証を提出し、本件発明１及び２は、いずれも、甲第１号証乃至甲第５号証に記載された発明に基いて、当業者が容易に発明をすることができたものであり、特許法第２９条第２項の規定により特許を受けることができないものであるから、本件発明１及び２の特許は取り消されるべきものである旨、また、本件発明１及び２は、いずれも、本件の出願の日前の他の出願であって、本件の出願後に出願公開された甲第６号証の出願の願書に最初に添付した明細書又は図面（以下、「甲第６号証明細書」という。）に記載された発明と同一であり、しかも、本件発明１及び２の発明者が上記甲第６号証明細書に記載された発明の発明者と同一でなく、本件の出願の時において、本件の出願人が甲第６号証の出願の出願人と同一でないので、本件発明１及び２の特許は、特許法第２９条の２の規定に違反してなされたものであるから、取り消すべきものである旨、主張している。
　甲第１号証：特開昭６３−２４３３０７号公報
　甲第２号証：特開昭５７−７７３０４号公報
　甲第３号証：特開平１−２９２１０２号公報
　甲第４号証：特開平１−２９８２０２号公報
　甲第５号証：特開平１−１８３５０２号公報
　甲第６号証：特願平２−２８８０７号（特開平３−２３１６６０号公報）
　
（３）特許法第２９条第２項違反について
（３）−１．甲第１号証乃至甲第５号証に記載された事項
　甲第１号証には、「使い捨て用液体吸収ガーメント」及びその製造方法について、図面と共に下記の事項が記載されている。
「１．解剖学的に体型とぴったり合う、実質上自己調整式の使い捨て用液体吸収ガーメントにおいて：
　一対の脚開口、協働してウエスト開口を画成する前側及び後側ウエスト部、前記脚開口間に位置した股部、及び該股部によって分離された前側及び後側パネルを含む呼吸可能なエラストマ不織外側カバー：
　対向した縦方向端を有し、且つ前記前側及び後側パネルと前記股部上に実質上重ねて配置可能で、液体非浸透性のバリヤと液体浸透性の身体側ライナを含み、該バリヤと身体側ライナの間に吸収性複合心材が配設されている吸収性インサート構造体：及び
　前記インサート構造体の縦方向端を選定された前側及び後側ウエスト取付ゾーンで前記外側カバーに取り付けて合体させ、・・・取付手段：を備えた使い捨て用液体吸収ガーメント。」（特許請求の範囲　請求項１）
「２１．前記股部フラップがそこに配置された縦方向に延びる股弾性部材を有する特許請求の範囲第１９項記載の使い捨て用液体吸収用ガーメント。」（特許請求の範囲　請求項２１）
「２６．前記脚開口の最外部に沿って延び、着用者の身体周囲で脚開口をギャザー寄せする脚弾性部材を更に備えた特許請求の範囲第６，９または２２項の何れか１項記載の使い捨て用液体吸収ガーメント。」（特許請求の範囲　請求項２６）
「２８．前記前側及び後側ウエスト部の何れかに沿って延び、着用者の身体周囲で前記ウエスト開口をギャザー寄せするウエスト弾性部材を更に備えた特許請求の範囲第１項記載の使い捨て用液体吸収ガーメント。」（特許請求の範囲　請求項２８）
「５２．使い捨て用液体吸収ガーメントで、吸収性インサート構造体を外側カバー内に合体させる方法において：
　（ａ）対向するウエスト部、中央股部並びに該股部とウエスト部によって分離された前側及び後側パネルをそれぞれ有する弾性的に伸長可能な外側カバーを与える工程：
　（ｂ）前記外側カバー上に実質上重ねて配置可能で、液体浸透性の身体側ライナ、液体非浸透性バリヤ、該ライナとバリヤの間に配設されて身体からの浸出物を吸収して閉じ込める吸収性複合心材、及び対向した縦方向端を有する吸収性インサート構造体を与える工程：
　（ｃ）前記外側カバーを、実質上身体を横切る方向に約２０％より大きく前伸長する工程：
　（ｄ）前記吸収性インサート構造体を外側カバーの内表面上に重ね合わせる工程：及び
　（ｅ）同時に前記吸収性インサート構造体の対向端を選定されたウエスト取付ゾーン内で取り付け、外側カバーの機能的な伸長性が実質上制限されないフリースパンゾーンを前記吸収性インサート構造体の下方に限定する工程：を含む方法。」（特許請求の範囲　請求項５２）
「外側カバー１２は、弾性不織層が１つ以上のギャザー可能な不織層と結合された空気浸透性、すなわち「呼吸可能」な弾性不織ウエブからなるのが好ましい。」（第７頁右下欄第６〜１０行）
「外側カバー１２は非対称状のほぼ砂時計の輪郭を有するのが好ましく、脚開口１８が股部１６から切断されて、対応した横方向に対向する前方対の耳部２４，２６を持つ前側パネル２８と、好ましくは該前側パネル２８より大きい面積で、別の対応した横方向に対向する後方対の耳部２０，２２を持つ後側パネル３０とを画成する。」（第７頁右下欄第１２〜１９行）
「第２、３及び４図を参照すると、全体を３２で示した吸収性インサート構造体が外側カバー１２の前側及び後側パネル２８、３０と股部１６上に実質上重ねて配置可能で、・・・液体浸透性の身体側ライナ３４・・・液体非浸透性のバリヤ３６：及びライナ３４とバリヤ３６の間に配設された吸収性心材３８を含む。吸収性構造体３２は・・・外側カバー１２内へ合体されることにより・・・」（第８頁左上欄第２〜１５行）
「吸収性インサート３２は・・・好ましくはインサートの対向する縦方向端６６，６４にそれぞれ位置し、且つ吸収性複合心材３８の終端を越えてライナ３４から延び前記ウエスト取付ゾーン６８，７０の前側及び後側ウエスト部１３，１４にそれぞれ取り付けまたは接着される前側及び後側ウエスト取付フラップ７４，７６を備えている。前側及び後側ウエスト部１３，１４は各々ウエスト開口に沿って仕上げ縁７８を有するのが好ましく、前側及び後側ウエスト取付フラップ７４，７６が前記ウエスト取付ゾーン６８，７０で仕上げ縁７８内に取り込まれ接着される。ウエスト縁７８は、各ウエスト部１３，１４の最外部の内側に折り込んだ端縁からなる」（第１０頁右上欄第１０行〜同頁左下欄第３行）
「第２〜５図特に第３及び３Ａ図を参照すれば、・・・吸収性複合心材３８の中間部８４の横方向対向側辺を越えてライナ３４から外側へ延びた一対の股部フラップ９２を備えている。・・・股部フラップ９２は随意、そこに施された縦方向に延びる股部弾性部材９６を有する。第４図に示すように、股部フラップ９２は前記ライナ３４及びバリヤ３６の何れかの延長部を含んで伸縮可能な弾力フラップを画成し、そこで股部弾性部材９６が部分的に伸長した状態で股部フラップ９２に施され、・・・外側カバー１２と組み合わされてインサートを身体と整合する状態に保つ。股部弾性部材９６は、吸収性複合心材３８の中間部８４の周辺端縁から内側に離間して設けてもよい」（第１１頁右上欄第１１行〜同頁左下欄第１０行）
「追加の弾性引っ張り力を与えるために、追加の弾性部材を脚及びウエスト弾性ギャザー１０２、１０４としてウエスト及び脚縁７８、９８内に組み入れることもできる。」（第１２頁左上欄第１０〜１４行）
「ウエスト弾性部材１０４はウエスト縁７８内に含まれるのが好ましい。」（第１２頁左上欄第２０行〜同頁右上欄第１行）
「脚弾性部材１０２は、伸長可能な外側カバーと協働して機能し着用者の周りで脚開口１８のギャザー寄せを行い」（第１２頁左下欄第３〜５行）
「ウエスト弾性部材１０４も外側カバーに対して引っ張られた状態でウエスト部１３、１４へ同様に施すことができる。」（第１２頁左下欄第１９行〜同頁右下欄第２行）
　また、図面の記載から、外側カバー１２には、吸収性インサート構造体３２の両側部に脚開口１８が形成されており、該脚開口１８の形成されている股部１６の上方の後側パネル３０及び下方の前側パネル２８には、それぞれ、上記吸収性インサート構造体３２の幅方向外方に延出する左右一対の部分があることが窺える。
　同じく図面の記載から、吸収性インサート構造体３２の長手方向の両側部に沿って脚開口両側にそれぞれギャザーを形成する股部弾性部材９６が設けられ、外側カバー１２の両端縁部に設けられたウエスト縁７８にそれぞれウエスト弾性部材１０４が設けられ、外側カバー１２の後側パネル３０の耳部２０、２２から股部１６の両側部を通って前側パネル２８の耳部２４，２６にかけて脚弾性部材１０２がそれぞれ設けられていることが窺える。
　
　甲第２号証には、「おしめブリーフおよびその製造方法」について、図面と共に特に下記の記載がある。
「１．湿気を通さない柔軟なシーツ材からなる外被シーツと、湿気を通す内面布と、前記シーツ材と前記内面布との間に配設される矩形の吸湿性のある当て布とを備え、ウエスト部の少なくとも大部分にわたつて前記シーツ材の内側の前記ウエスト部に弾性部材が付設され、前記ウエスト部から足挿入用の開口部へ延びる側部は前記シーツ材の両側部を重ねることなく閉鎖されてなる使い捨てのおしめブリーフ。
２．弾性部材が開口部の外周部の少なくとも一部において付設されてなる特許請求の範囲第１項記載のおしめブリーフ。」（特許請求の範囲　請求項１及び２）
「７．開口部の周縁部に付設された弾性部材がウエスト部の弾性部材と平行な前記開口部の一辺に沿って接着される直線状の弾性素子を有してなる特許請求の範囲第６項記載のおしめブリーフ。」（特許請求の範囲　請求項７）
「本発明により使い捨てのブリーフを製造する場合、・・・長手のシーツ材を巻いたロールから張力をかけてほどき、長手のゴムひものような弾性ひもを延伸状態で前記シーツ材の長手縁部の全長にわたり直線状に接着する。次に前もって作られた矩形の当て布を一定間隔でかつ当て布の長手軸線がシーツ材の長手軸線に対し直角になるように前記シーツ材上に付設される。・・・その後当て布付のシーツ材はほぼ中央の長手軸線に沿って折り重ねられ、当て布間の前記対称線に沿う熱による切断・溶着作業により折り重ねられたシーツ材がゴム部材と共に切断されかつ対称軸の両側で２つのシーツ層が溶着される。」（第４頁右上欄第１１行〜同頁左下欄第９行）
「湿気を通さないシーツ材には、当て布を取り付ける前に接着剤が塗布されることが望ましい。」（第４頁左下欄第１５〜１６行）
「使い捨てのブリーフの開口部にゴム部材を付設して開口部での人体との密着性を良好にしたい場合、このゴム部材はシーツ材に当て布を取り付ける前にシーツに取り付けることが望ましい。」（第４頁右下欄第１７〜２０行）
「第６図は本発明による更に別の実施例を示すもので、・・・本実施例において開口部２４はジグザグな線により区画された多角形に設けられる。開口部用の弾性部材をなすゴムひも２５，２６は延伸状態で長手軸線Ｘ−Ｘと平行に直線状に付着されている。またゴムひも２５，２６は、対称線１０の両側に対称にかつ長手方向に互いに僅かに離間して付設された部分２５ａ，２５ｂ，２６ａ，２６ｂのみに接着剤が付される。」（第９頁左上欄第１４行〜同頁右上欄第３行）
　さらに、第６図及び第７図から、開口部２４を形成する辺が当て布の幅方向に延びる辺を有し、この辺に沿って当て布の幅方向に弾性部材２５ａ，２５ｂ，２６ａ，２６ｂが設けられていることが窺える。
　
　甲第３号証は、「使い捨ておむつブリーフとその製造方法」について、図面と共に特に下記の記載がある。
「不透水性の外被と疎水透水性の内被より形成された使い捨ておむつブリーフにおいて、その股下区域にパルプ繊維、吸水性高分子化学物等からなる吸収体を外被と内被の間に位置せしめ且つその胴回りに伸縮自在に弾性バンドを取付けたことを特徴とする使い捨ておむつブリーフ。」（特許請求の範囲　請求項１）
　
　甲第４号証には、「簡易立体おむつ」について、図面と共に特に下記の記載がある。
「非透水性のバックシートと疎水性且つ透水性のトップシートの間にマット状態のパルプ等を主体とした吸収体を挟み込んでその主要部分を形成するおむつに於いて、トップシートは吸収体より幅の広いシートを使用し吸収体を被覆する部分の左右をシートの表面を内側にし且つその折込幅が上端で小さく下端で大きくなるようシートの側縁部に対し傾斜した直線の第１折目線で内方へに折込み更に折込部分を第２折目線より第１の折目の方向へ折返して第１折曲片および第２折曲片を形成し、両折曲片の相接した襞の第２折目線の近辺に第２折目線に平行に伸長状態のまま接着剤を塗布した糸ゴムを貼付けて形成し、バックシートはトップシートの輪郭とほぼ等しい台形状に形成し、トップシートとバックシートを少なくとも吸収体のその両縁の近傍に於いて接着剤を以て接合することにより吸収体を固定するとともに第１折目線の両側及びシートの両辺部等に於いて接合しておむつ本体を形成し、おむつ本体の幅より長い弾性体ベルトを弾性体の伸長状態でおむつ本体の上端部および下端部に固定して装着ベルトとした簡易立体おむつ。」（特許請求の範囲　請求項１）
　
　甲第５号証には、「使い捨ておむつの製造方法」について、図面と共に下記の記載がある。
「上端部および下端部に横方向の第１弾性テープを有し左右両側に縦方向の第２弾性テープを有する使い捨ておむつの製造方法であって、供給弾性テープを所定の伸長状態でテープ長手方向を搬送方向として吸着支持面に供給する工程と、横方向に変更して第１弾性テープを供給する工程と、・・・吸着支持面上の第１弾性テープ・・・を被接着シートに接着する工程と、被接着シートに接着された第１弾性テープをテープ中心位置でテープ長手方向に被接着シートとともに切断する工程とを含むことを特徴とする使い捨ておむつの製造方法。」（特許請求の範囲　請求項１）
　
（３）−２．対比、判断
　本件発明１及び２と甲第１号証乃至甲第５号証に記載された事項を対比すると、甲第１号証乃至甲第５号証のいずれにも、少なくとも「サイドフラップそれぞれに第３弾性部材が吸収性本体の幅方向に配設されており、上記第３弾性部材は、少なくとも、上記サイドフラップにおけるくびれ部分寄りの端部を除く部分とウエストフラップとの間に配設されている使い捨て吸収性物品の製造方法」という本件発明１及び２に共通する構成が記載されておらず、かかる事項を示唆する記載もない。
　そして、本件発明１及び２は、いずれも、製造される使い捨て吸収性物品を、サイドフラップそれぞれに第３弾性部材が吸収性本体の幅方向に配設されており、上記第３弾性部材が、少なくとも、上記サイドフラップにおけるくびれ部分寄りの端部を除く部分とウエストフラップとの間に配設されているものとしたことにより、着用時に着用者に高いフィット感がある使い捨て吸収物品を製造し得るという格別な効果を奏するものである。
　確かに、甲第１号証には「使い捨て用液体吸収ガーメント」（本件発明１及び２における「使い捨て吸収性物品」に相当）の製造方法が記載されており、製造される使い捨て液体吸収ガーメントは、「液体浸透性の身体側ライナ３４」（同じく「液透過性のトップシート」に相当）と、「液体非浸透性のバリヤ３６」（同じく「液不透過性のバックシート」に相当）と、これらの間に配置された「吸収性心材３８」（同じく「吸収体」に相当）とを有する「吸収性インサート構造体３２」（同じく「吸収性本体」に相当）と、中央部に該吸収性インサート構造体が接合固定される通気性シートであって、着用時にウエストを囲んで上記吸収性インサート構造体を着用者にあてて保持する「外側カバー１２」（同じく「最外層シート」に相当）とを備え、上記吸収性インサート構造体の長手方向に沿って、「脚開口１８」（同じく「レッグ部」及び「凹欠部」に相当）それぞれにギャザーを形成する一対の「股部弾性部材９６」（同じく「第１弾性部材」に相当）が配置され、上記外側カバー１２の長手方向における両端縁部には、それぞれ「ウエスト縁７８」（同じく「ウエストフラップ」に相当）が設けられ、該ウエスト縁７８には、それぞれ「ウエスト弾性部材１０４」（同じく「第２弾性部材」に相当）が配置されており、上記外側カバー１２には、上記吸収性インサート構造体３２の両側部に脚開口１８が形成されており、該脚開口１８の形成されている「股部１６」（同じく「くびれ部分」に相当）の上方の後側パネル３０及び下方の前側パネル２８には、それぞれ、上記吸収性インサート構造体３２の幅方向外方に延出する左右一対の「部分」（同じくそれぞれ「サイドフラップ」に相当）が設けられたものである。
　そして、甲第１号証に記載された方法で製造される使い捨て用液体吸収ガーメントにおいても、外側カバー１２の股部１６の上方の後側パネル３０及び下方の前側パネル２８それぞれの、上記吸収性インサート構造体３２の幅方向外方に延出する左右一対の上記部分には、脚弾性部材１０２の一部分が配設されている。
　しかし、この脚弾性部材１０２は、外側カバー１２の後側パネル３０の耳部２０、２２から股部１６の両側部を通って前側パネル２８の耳部２４，２６にかけてそれぞれ設けられるものであって、吸収性インサート構造体３２の幅方向に配設されるものではない。
　また、甲第２号証にはおしめブリーフの製造方法が記載されており、甲第２号証に記載された方法で製造されるおしめブリーフとして、当て布の幅方向に延びる辺を有する開口部の周縁に当て布の幅方向にゴム部材を付設したものが記載されているが、このゴム部材を付設する位置は開口部の周縁であって、本件発明１及び２でいう、くびれ部分寄りの端部を除く部分とウエストフラップとの間、ではない。
　甲第３号証乃至甲第５号証には、本件発明１及び２における第３弾性部材に相当する部材について何等示す記載はない。
　
　してみると、本件発明１及び２は、いずれも、甲第１号証乃至甲第５号証に記載された発明を如何に組み合わせても当業者が容易に発明をすることができたものとはいえない。
　
（４）特許法第２９条の２違反について
（４）−１．甲第６号証明細書に記載された事項
　甲第６号証明細書には、「紙おむつとその製造方法」について、図面と共に下記の記載がある。
「１．親水性および通気性を有する裏面シートと、該裏面シートに取り付けられる吸収体とを備え、かつ、前記裏面シートには、弾力体として少なくとも前身頃端部弾性体と後身頃端部弾性体とが取り付けられており、しかも、前記吸収体には、下から上へと順に、防水性のバックシートと吸水性のコアと親水性のトップシートとが積層されているとともに、股間部弾性体を内蔵した撥水性シートが両側部に取り付けられ、該撥水性シートの股間部が前記トップシートより上位になっていて立体的な堰を形成していることを特徴とする紙おむつ。」（特許請求の範囲　請求項１）
「第１図において、１は親水性と通気性を有する裏面シートで、前身頃端部弾性体２と後身頃端部弾性体３と脚まわり弾性体４を有している。」（公報　第２頁右下欄第１２〜１５行）
「第４図は第１図の切断線Ｃ−Ｃに沿う部分拡大断面図である。
　第４図に示すように、後身頃の腰まわり部および端部には弾性体３が設けられ、該弾性体３は、裏面シート１の２枚重ねの間に内装されており、裏面シート１の後身頃端部は内側に折曲げられていて、立体的な堰１５を形成している。
　また裏面シート１の前身頃の腰まわり部および端部も、前記後身頃の腰まわり部および端部と同様になっており、つまり、弾性体２が内装されていて、かつ、前記堰１５と同様な堰が形成されている。」（公報　第３頁左上欄第１３行〜同頁右上欄第５行）
「第５図は第１図に示した紙おむつを、展開して伸長状態にしたものを示している。」（公報　第３頁右上欄第６，７行）
「第６図は本発明の紙おむつの製造方法の一実施例を示した平面図で、この実施例では、パンツ式紙おむつを製造する例である。
　まず、前身頃端部弾性体２と後身頃端部弾性体３と脚まわり弾性体４とが取り付けられている親水性および通気性を有する裏面シート１の長尺基材１６を伸長状態にして矢印１７で示す長手方向に送る。
　そして、・・・吸収体５を伸長状態にして、長尺基材１６に所定の間隔で取り付ける工程Ｄを行なう。
　つぎに、長尺基材１６の幅方向の中心線１８を中心にして折り返して前身頃１９と後身頃２０が重さなった状態にする工程Ｅを行なう。
　こののち、前身頃１９と後身頃２０の両側端部に相応する１つのおむつ本体ａと隣りのおむつ本体ａの境界線２１の個所を接合する工程と、脚まわりを切断・・・する工程と、前記境界線２１の個所を切断して個々の紙おむつにする工程Ｆを行なう。」（公報　第３頁左下欄第１７行〜同頁右下欄第１６行）
　また、第５図から、裏面シート１には、脚まわりを構成する凹欠部が形成され、凹欠部の形成されているくびれ部分の上方及び下方には吸収体の幅方向外側に延出する左右一対の部分があり、脚まわり弾性体は、裏面シートのくびれ部分における吸収体の幅方向外方に延出する左右一対の部分、及び、くびれ部分の上方及び下方の吸収体の幅方向外側に延出する左右一対の部分のくびれ部分寄りの端部に、吸収体の幅方向に設けられていることが窺える。
　
（４）−２．対比、判断
　本件発明１及び２と甲第６号証明細書に記載された発明を対比すると、甲第６号証明細書に記載された発明は、少なくとも「第３弾性部材は、少なくとも、サイドフラップにおけるくびれ部分寄りの端部を除く部分とウエストフラップとの間に配設されている使い捨て吸収性物品の製造方法」という本件発明１及び２に共通する構成を備えたものではない。
　即ち、甲第６号証明細書には、「紙おむつ」（本件発明１及び２における「使い捨て吸収性物品」に相当）の製造方法が記載されており、この方法で製造される紙おむつは、「親水性のトップシート」（同じく「液透過性のトップシート」に相当）と、「防水性のバックシート」（同じく「液不透過性のバックシート」に相当）と、これら両シート間に配置された「吸水性のコア」（同じく「吸収体」に相当）とを有する「吸収体」（同じく「吸収性本体」に相当）と、中央部に該吸収体が接合固定される通気性シートであって、着用時にウエストを囲んで上記吸収性本体を着用者にあてて保持する「裏面シート」（同じく「最外層シート」に相当）とを備え、上記吸収体の長手方向に沿って、脚まわりそれぞれにギャザーを形成する一対の「股部弾性体」（同じく「第１弾性部材」に相当）が配置され、「上記裏面シートの前身頃の腰まわり部及び後身頃の腰まわり部」（同じく「ウエストフラップ」に相当）には、それぞれ「前身頃端部弾性体」及び「後身頃端部弾性体」（同じくそれぞれ「第２弾性部材」に相当）が配置されており、上記裏面シートには、上記吸収体の両側部に凹欠部が形成されており、該凹欠部の形成されているくびれ部分の上方及び下方には、それぞれ、上記吸収体の幅方向外方に延出する左右一対の「部分」（同じくそれぞれ「サイドフラップ」に相当）が設けられ、該部分それぞれに「脚まわり弾性体」（同じく「第３弾性部材」に相当）が該吸収体の幅方向に配設されているものである。
　しかし、甲第６号証明細書に記載された方法で製造される紙おむつにおいて、本件発明１及び２における第３弾性部材に相当する脚まわり弾性体が配設される部分は、裏面シートの、くびれ部分における吸収体の幅方向外方に延出する左右一対の部分、及びくびれ部分の上方及び下方の吸収体の幅方向外側に延出する左右一対の部分のくびれ部分寄りの端部であって、本件発明１及び２におけるサイドフラップに相当する裏面シートのくびれ部分の上方及び下方の吸収体の幅方向外側に延出する左右一対の部分の上記くびれ部分寄りの端部を除く部分と上記ウエストフラップとの間ではない。
　
　したがって、本件発明１及び２は、いずれも、甲第６号証明細書に記載された発明と同一であるとはいえない。
　
３．むすび
　以上のとおりであるから、特許異議の申立ての理由及び証拠によっては本件発明１及び２に係る特許を取り消すことはできない。
　また、他に本件発明１及び２についての特許を取り消すべき理由を発見しない。
　したがって、結論のとおり決定する。
【異議決定日】
平成１４年１月１０日（２００２．１．１０）